(57)【要約】【課題】  複数のボタンが略々同時に操作された場合のみ端子を突出させることで、安全性の向上を図る。【解決手段】  付勢力を形成する端子２を設けた端子保持部３を、該端子２の突出方向に回動可能なように筐体１に設ける。そして、突出方向へ移動しようとする端子保持部３を、筐体１外に突出する突出当接部３０を有するボタンレバー４で押さえ込むと共に、筐体１外に突出する突出当接部２６を有するホルダロック部５でロックしておく。何れか一方の突出当接部２６、３０が押圧操作された場合は、上記ボタンレバー４及びホルダロック部５のうち、一方のみしか解除されず、端子保持部３の回動が抑止され、端子２は突出しない。両方の突出当接部２６、３０が略々同時に押圧操作された場合、上記ボタンレバー４及びホルダロック部５が両方共解除されるため、端子保持部３が回動可能な状態となり、端子２の付勢力により、該端子２が筐体１外に突出する。【選択図】  図１
2010147605.tif 000002
【特許請求の範囲】
【請求項１】
少なくとも端子突出用孔部、第１のボタン機構用孔部、及び第２のボタン機構用孔部を有する筐体と、
上記筐体に対して装着された上記携帯端末装置の端子当接部に当接させるための端子と、
上記端子を保持し、上記筐体に対する上記携帯端末装置の非装着時に、上記筐体内に上記端子を収納するように動作し、上記筐体に対する上記携帯端末装置の装着時に、上記筐体の端子突出用孔部を介して上記端子を突出させるように動作する端子保持部と、
上記筐体に対する上記携帯端末装置の非装着時に、該筐体の上記第１のボタン機構用孔部、或いは上記第２のボタン機構用孔部を介して突出し、上記筐体に対して上記携帯端末装置が装着された際に、この装着された携帯端末装置により該筐体内に押し込まれるように上記筐体に設けられた、少なくとも第１のボタン機構及び第２のボタン機構と、
上記第１のボタン機構に連動して動作し、上記筐体に対する上記携帯端末装置の非装着時には、上記筐体内に上記端子が収納された状態となるように上記端子保持部を制御し、上記筐体に上記携帯端末装置が装着されることで、上記第１のボタン機構が該筐体内に押し込まれた際に、上記筐体の端子突出用孔部を介して上記端子を突出させ得る状態に上記端子保持部を制御する第１の制御機構と、
上記第２のボタン機構に連動して動作し、上記筐体に対する上記携帯端末装置の非装着時には、上記筐体内に上記端子が収納された状態となるように上記端子保持部を制御し、上記筐体に上記携帯端末装置が装着されることで、上記第２のボタン機構が該筐体内に押し込まれた際に、上記筐体の端子突出用孔部を介して上記端子を突出させ得る状態に上記端子保持部を制御する、上記第１の制御機構とは独立して動作する第２の制御機構とを有し、
上記筐体に上記携帯端末装置が装着された際に、上記第１のボタン機構のみが上記筐体内に押し込まれた際には、上記第１の制御機構が上記端子を突出させ得る状態に上記端子保持部を制御するのに対し、上記第２の制御機構が、上記筐体内に上記端子を収納する状態となるように上記端子保持部を制御することで、上記筐体からの上記端子の突出を抑制し、
上記筐体に上記携帯端末装置が装着された際に、上記第２のボタン機構のみが上記筐体内に押し込まれた際には、上記第２の制御機構が上記端子を突出させ得る状態に上記端子保持部を制御するのに対し、上記第１の制御機構が、上記筐体内に上記端子を収納する状態となるように上記端子保持部を制御することで、上記筐体からの上記端子の突出を抑制し、
上記筐体に上記携帯端末装置が装着された際に、上記第１のボタン機構及び上記第２のボタン機構が上記筐体内に押し込まれた際に、上記第１の制御機構及び上記第２の制御機構がそれぞれ上記端子を突出させる状態に上記端子保持部を制御することで、該筐体から端子を突出させる
クレードル装置。
【請求項２】
上記端子は、所定方向の付勢力を形成するバネ部と、上記携帯端末装置の上記端子当接部に当接する当接部とを一体成形することで形成されており、
上記端子保持部は、上記第１の制御機構に当接する第１の当接部と、上記第２の制御機構に当接する第２の当接部とを備え、上記端子のバネ部の付勢力により、該端子を上記筐体から突出させる方向に付勢されており、
上記第１のボタン機構に連動して動作する上記第１の制御機構は、上記筐体に対する上記携帯端末装置の非装着時には、上記端子保持部の上記第１の当接部と当接することで、上記端子の上記バネ部による付勢力を抑制して、上記筐体からの上記端子の突出を抑制し、上記筐体に対する上記携帯端末装置の装着時には、上記端子の上記バネ部による付勢力に沿った方向に上記端子保持部を移動可能とすることで、上記筐体の端子突出用孔部を介して上記端子を突出させる状態に上記端子保持部を制御し、
上記第２のボタン機構に連動して動作する上記第２の制御機構は、上記筐体に対する上記携帯端末装置の非装着時には、上記端子保持部の上記第２の当接部を介して当該端子保持部を押さえつけることで、上記端子の上記バネ部による付勢力を抑制し、該端子保持部をロック状態として、上記筐体からの上記端子の突出を抑制し、上記筐体に対する上記携帯端末装置の装着時には、上記端子保持部の上記第２の当接部に対して非当接状態となることで、該端子保持部をロック解除状態として、上記筐体の端子突出用孔部を介して上記端子を突出させる状態に上記端子保持部を制御する
請求項１に記載のクレードル装置。
【請求項３】
上記端子保持部は、バネ部材係止部を備え、
上記端子保持部のバネ部材係止部に対して設けられ、上記端子が突出する方向の付勢力を上記端子保持部に付与することで、上記携帯端末装置の装着時における上記端子の突出を補助する補助バネ部材を有する
請求項１又は請求項２に記載のクレードル装置。
【請求項４】
上記端子は、所定方向の付勢力を形成するバネ部と、上記携帯端末装置の上記端子当接部に当接する当接部とを一体成形することで形成されており、
上記第１の制御機構、及び上記第２の制御機構は、一端部に嵌込溝部が設けられ、他端部に壁状の当接壁部が設けられた略棒形状のスライドバーとして一体的に形成されており、
上記スライドバーを、上記端子の突出方向に付勢する付勢部材を有し、
上記端子保持部は、上記スライドバーが上記突出方向に移動した際には、上記保持している端子を上記筐体外に突出させ、該スライドバーが上記突出方向に対して反対方向となる収納方向に移動した際には、上記保持している端子を上記筐体内に収納するように、該スライドバーと連動し、
上記第１のボタン機構は、上記スライドバーが上記収納方向に移動した際に該スライドバーの上記嵌込溝部と嵌込することで、上記端子が上記筐体内に収納された状態で該スライドバーの移動を停止させる嵌込爪部を有し、
上記第２のボタン機構は、上記スライドバーの上記当接壁部に当接することで、該スライドバーの上記突出方向及び収納方向の移動を制御する当接突出部を有し、
上記第１のボタン機構のみが筐体内に押し込まれた場合、該第１のボタン機構は、上記スライドバーの嵌込溝部に対する上記嵌込爪部の嵌込を解除するのに対し、上記第２のボタン機構は、上記スライドバーの当接壁部に対する当接突出部の当接を維持することで、上記スライドバーの上記突出方向への移動を抑止して、上記スライドバーの移動に連動する上記端子保持部に保持されている上記端子の、上記筐体外への突出を抑止し、
上記第２のボタン機構のみが筐体内に押し込まれた場合、該第２のボタン機構は、上記スライドバーの当接壁部に対する当接突出部の当接を解除することで、スライドバーを上記突出方向へ移動可能とするのに対し、上記第１のボタン機構は、上記スライドバーの嵌込溝部に対する上記嵌込爪部の嵌込を維持することで、上記スライドバーの移動に連動する上記端子保持部に保持されている上記端子の、上記筐体外への突出を抑止し、
上記第１のボタン機構及び第２のボタン機構の両方が筐体内に押し込まれた場合、上記第１のボタン機構が、上記スライドバーの嵌込溝部に対する上記嵌込爪部の嵌込を解除すると共に、第２のボタン機構が、上記スライドバーの当接壁部に対する当接突出部の当接を解除することで、上記スライドバーの上記突出方向に対する移動により、該スライドバーの移動に連動する上記端子保持部に保持されている上記端子が上記筐体外へ突出する
請求項１に記載のクレードル装置。
【請求項５】
上記第２のボタン機構には、当該第２のボタン機構を上記筐体の上記第２のボタン機構用孔部を介して突出させると共に、上記当接突出部により上記スライドバーを上記収納方向に移動させる付勢力を有する付勢部材が設けられており、
上記第２のボタン機構に設けられた付勢部材の付勢力は、上記端子の突出方向に上記スライドバーを付勢する付勢部材の付勢力よりも大きな付勢力である
請求項４に記載のクレードル装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯型のゲーム機、デジタルカメラ装置、ビデオカメラ装置等の携帯端末装置に対する充電やデータ通信を行うクレードル装置に関する。
特には、複数の機械的なボタン機構を設け、携帯端末装置の装着時に、各ボタン機構が略々同時に押圧操作されたときのみ、筐体から端子を突出させることで、筐体に対して携帯端末装置が正確に装着された場合のみ、筐体から端子を突出させるようにしたクレードル装置に関する。
【背景技術】
【０００２】
従来、携帯電話機等の携帯端末装置に対して充電等を行うクレードル装置は、当該クレードル装置の筐体の凹状の装着部に、該装着部から突出した端子が設けられており、この装着部に対して携帯端末装置が装着されると、この装着された携帯端末装置側の端子当接部に、当該クレードル装置から突出した端子が接触する。これにより、携帯端末装置に対して充電を行い、或いはパーソナルコンピュータ装置等の外部機器との間で通信を行うことが可能となっている。
【０００３】
このような従来のクレードル装置は、装着部の端子が常時露出しているため、この露出した端子に、上記携帯端末装置の当接端子以外の物が接触する可能性があり、安全性に乏しいという問題がある。
【０００４】
このような問題を解決する技術として、特開平０６−３２６６４４号の公開特許公報（特許文献１）には、装着検知手段を備えた充電装置が開示されている。この充電装置の場合、電話機の非装着時には、スプリングを用いて回転片等の装着検知手段の一端を筐体から突出した状態に付勢して、回転片の他端に近接して配置させた給電端子を、筐体に設けられた開孔に格納する一方、電話機の装着時には、スプリングの付勢力に抗して上記回転片が回転し、この回転片の回転に連動して給電端子を筐体の嵌合部に突出させて、携帯端末装置の端子当接部に接触させて充電を行う。
【０００５】
これにより、携帯端末装置が筐体に装着されたときのみ、充電装置から給電端子を突出させることができるため、上記携帯端末装置の当接端子以外の物が給電端子に接触する不都合を極力防止することができる。
【０００６】
【特許文献１】特開平０６−３２６６４４号（第３頁、図１）
【発明の開示】
【発明が解決しようとする課題】
【０００７】
しかし、特許文献１に開示されている充電装置の場合は、電話機を装着していないときであっても、ユーザの指や物とうにより、回転片の一端が押下された場合には、給電端子が開孔から突出してしまうため、やはり安全性に乏しい問題がある。
【０００８】
本発明は、上述の課題に鑑みてなされたものであり、機械的な複数のボタンが略々同時に操作された場合のみ、端子が突出する構成とすることで、安全性の向上を図ったクレードル装置の提供を目的とする。
【課題を解決するための手段】
【０００９】
本発明に係るクレードル装置は、上述の課題を解決するために、
少なくとも端子突出用孔部、第１のボタン機構用孔部、及び第２のボタン機構用孔部を有する筐体と、
上記筐体に対して装着された上記携帯端末装置の端子当接部に当接させるための端子と、
上記端子を保持し、上記筐体に対する上記携帯端末装置の非装着時に、上記筐体内に上記端子を収納するように動作し、上記筐体に対する上記携帯端末装置の装着時に、上記筐体の端子突出用孔部を介して上記端子を突出させるように動作する端子保持部と、
上記筐体に対する上記携帯端末装置の非装着時に、該筐体の上記第１のボタン機構用孔部、或いは上記第２のボタン機構用孔部を介して突出し、上記筐体に対して上記携帯端末装置が装着された際に、この装着された携帯端末装置により該筐体内に押し込まれるように上記筐体に設けられた、少なくとも第１のボタン機構及び第２のボタン機構と、
上記第１のボタン機構に連動して動作し、上記筐体に対する上記携帯端末装置の非装着時には、上記筐体内に上記端子が収納された状態となるように上記端子保持部を制御し、上記筐体に上記携帯端末装置が装着されることで、上記第１のボタン機構が該筐体内に押し込まれた際に、上記筐体の端子突出用孔部を介して上記端子を突出させる状態に上記端子保持部を制御する第１の制御機構と、
上記第２のボタン機構に連動して動作し、上記筐体に対する上記携帯端末装置の非装着時には、上記筐体内に上記端子が収納された状態となるように上記端子保持部を制御し、上記筐体に上記携帯端末装置が装着されることで、上記第２のボタン機構が該筐体内に押し込まれた際に、上記筐体の端子突出用孔部を介して上記端子を突出させる状態に上記端子保持部を制御する、上記第１の制御機構とは独立して動作する第２の制御機構とを有する。
【００１０】
そして、上記筐体に上記携帯端末装置が装着された際に、上記第１のボタン機構のみが上記筐体内に押し込まれた際には、上記第１の制御機構が上記端子を突出させる状態に上記端子保持部を制御するのに対し、上記第２の制御機構が、上記筐体内に上記端子を収納する状態となるように上記端子保持部を制御することで、上記筐体からの上記端子の突出を抑制し、上記筐体に上記携帯端末装置が装着された際に、上記第２のボタン機構のみが上記筐体内に押し込まれた際には、上記第２の制御機構が上記端子を突出させる状態に上記端子保持部を制御するのに対し、上記第１の制御機構が、上記筐体内に上記端子を収納する状態となるように上記端子保持部を制御することで、上記筐体からの上記端子の突出を抑制し、上記筐体に上記携帯端末装置が装着された際に、上記第１のボタン機構及び上記第２のボタン機構が上記筐体内に押し込まれた際に、上記第１の制御機構及び上記第２の制御機構がそれぞれ上記端子を突出させる状態に上記端子保持部を制御することで、該筐体から端子を突出させる。
【００１１】
また、本発明に係るクレードル装置は、上述の課題を解決するために、
上記端子は、所定方向の付勢力を形成するバネ部と、上記携帯端末装置の上記端子当接部に当接する当接部とを一体成形することで形成されており、
上記端子保持部は、上記第１の制御機構に当接する第１の当接部と、上記第２の制御機構に当接する第２の当接部とを備え、上記端子のバネ部の付勢力により、該端子を上記筐体から突出させる方向に付勢されており、
上記第１のボタン機構に連動して動作する上記第１の制御機構は、上記筐体に対する上記携帯端末装置の非装着時には、上記端子保持部の上記第１の当接部と当接することで、上記端子の上記バネ部による付勢力を抑制して、上記筐体からの上記端子の突出を抑制し、上記筐体に対する上記携帯端末装置の装着時には、上記端子の上記バネ部による付勢力に沿った方向に上記端子保持部を移動可能とすることで、上記筐体の端子突出用孔部を介して上記端子を突出させる状態に上記端子保持部を制御し、
上記第２のボタン機構に連動して動作する上記第２の制御機構は、上記筐体に対する上記携帯端末装置の非装着時には、上記端子保持部の上記第２の当接部を介して当該端子保持部を押さえつけることで、上記端子の上記バネ部による付勢力を抑制し、該端子保持部をロック状態として、上記筐体からの上記端子の突出を抑制し、上記筐体に対する上記携帯端末装置の装着時には、上記端子保持部の上記第２の当接部に対して非当接状態となることで、該端子保持部をロック解除状態として、上記筐体の端子突出用孔部を介して上記端子を突出させる状態に上記端子保持部を制御する。
【００１２】
また、本発明に係るクレードル装置は、上述の課題を解決するために、
上記端子保持部は、バネ部材係止部を備え、
上記端子保持部のバネ部材係止部に対して設けられ、上記端子が突出する方向の付勢力を上記端子保持部に付与することで、上記携帯端末装置の装着時における上記端子の突出を補助する補助バネ部材を有する。
【００１３】
また、本発明に係るクレードル装置は、上述の課題を解決するために、
上記端子は、所定方向の付勢力を形成するバネ部と、上記携帯端末装置の上記端子当接部に当接する当接部とを一体成形することで形成されており、
上記第１の制御機構、及び上記第２の制御機構は、一端部に嵌込溝部が設けられ、他端部に壁状の当接壁部が設けられた略棒形状のスライドバーとして一体的に形成されており、
上記スライドバーを、上記端子の突出方向に付勢する付勢部材を有し、
上記端子保持部は、上記スライドバーが上記突出方向に移動した際には、上記保持している端子を上記筐体外に突出させ、該スライドバーが上記突出方向に対して反対方向となる収納方向に移動した際には、上記保持している端子を上記筐体内に収納するように、該スライドバーと連動し、
上記第１のボタン機構は、上記スライドバーが上記収納方向に移動した際に該スライドバーの上記嵌込溝部と嵌込することで、上記端子が上記筐体内に収納された状態で該スライドバーの移動を停止させる嵌込爪部を有し、
上記第２のボタン機構は、上記スライドバーの上記当接壁部に当接することで、該スライドバーの上記突出方向及び収納方向の移動を制御する当接突出部を有し、
上記第１のボタン機構のみが筐体内に押し込まれた場合、該第１のボタン機構は、上記スライドバーの嵌込溝部に対する上記嵌込爪部の嵌込を解除するのに対し、上記第２のボタン機構は、上記スライドバーの当接壁部に対する当接突出部の当接を維持することで、上記スライドバーの上記突出方向への移動を抑止して、上記スライドバーの移動に連動する上記端子保持部に保持されている上記端子の、上記筐体外への突出を抑止し、
上記第２のボタン機構のみが筐体内に押し込まれた場合、該第２のボタン機構は、上記スライドバーの当接壁部に対する当接突出部の当接を解除することで、スライドバーを上記突出方向へ移動可能とするのに対し、上記第１のボタン機構は、上記スライドバーの嵌込溝部に対する上記嵌込爪部の嵌込を維持することで、上記スライドバーの移動に連動する上記端子保持部に保持されている上記端子の、上記筐体外への突出を抑止し、
上記第１のボタン機構及び第２のボタン機構の両方が筐体内に押し込まれた場合、上記第１のボタン機構が、上記スライドバーの嵌込溝部に対する上記嵌込爪部の嵌込を解除すると共に、第２のボタン機構が、上記スライドバーの当接壁部に対する当接突出部の当接を解除することで、上記スライドバーの上記突出方向に対する移動により、該スライドバーの移動に連動する上記端子保持部に保持されている上記端子が上記筐体外へ突出する。
【００１４】
また、本発明に係るクレードル装置は、上述の課題を解決するために、
上記第２のボタン機構には、当該第２のボタン機構を上記筐体の上記第２のボタン機構用孔部を介して突出させると共に、上記当接突出部により上記スライドバーを上記収納方向に移動させる付勢力を有する付勢部材が設けられており、
上記第２のボタン機構に設けられた付勢部材の付勢力を、上記端子の突出方向に上記スライドバーを付勢する付勢部材の付勢力よりも大きな付勢力とする。
【発明の効果】
【００１５】
本発明は、機械的な複数のボタン機構が略々同時に操作された場合のみ、端子を突出させることができるため、安全性の向上を図ることができる。
【００１６】
また、機械的な複数のボタン機構を用いており、電気的なスイッチを必要としないため、構成簡単、かつ、安価に実現することができる。
【発明を実施するための最良の形態】
【００１７】
本発明は、携帯電話機のクレードル装置に適用することができる。
【００１８】
［第１の実施の形態］
〔第１の実施の形態の構成〕
まず、図１に、筐体１の内部を透視したかたちで図示した、本発明の第１の実施の形態となるクレードル装置の斜視図を示す。この図１からわかるように、このクレードル装置は、複数の端子２が設けられた端子保持部３と、この端子保持部３に設けられた端子２の突出制御を行うためのボタンレバー４と、同じく端子保持部３に設けられた端子２の突出制御を行うためのホルダロック部５とを、筐体１内に収納して形成されている。
【００１９】
また、このクレードル装置は、これら各部材と共に、端子保持部３に設けられた各端子の一端部が電気的及び物理的に接続された基板６と、当該クレードル装置に携帯電話機が装着された際に、この携帯電話機に設けられている一対の嵌込凹部に対して嵌込することで、当該クレードル装置に装着された携帯電話機の固定を図る一対の嵌込爪部４０を、筐体１内に収納して形成されている。
【００２０】
図２に、筐体１を真上から見た図を示す。この図２からわかるように、携帯電話機を装着可能なように、該装着される携帯電話機の外形よりも若干大きめに形成された凹部である装着部７と、端子保持部３に設けられた各端子２を筐体１外にそれぞれ突出させることで、装着部７に装着された携帯電話機に設けられている端子当接部に該各端子２を当接させるための端子突出用孔部８とを有している。
【００２１】
なお、この例では、上記端子２として陽極用の端子（＋）、陰極用の端子（−）の他、３つのデータ通信用の端子が設けられている。このため、筐体１には、この５つの端子２を突出させるために、上記端子突出用孔部８として計５つの孔部が設けられている。
【００２２】
また、筐体１は、図２に示すようにボタンレバー４の当接部（図７の符号３０）を上記装着部７に突出させるためのボタンレバー用孔部２４と、ホルダロック部５の当接部（図６の符号２６）を上記装着部７に突出させるためのホルダロック用孔部２５とを有している。
【００２３】
次に、図３（ａ）に端子保持部３を底面部から見た図を、図３（ｂ）に端子保持部３を底面部から見た状態における右側面図を、図３（ｃ）に端子保持部３を底面部から見た状態における左側面図を示す。
【００２４】
この端子保持部３は、図３（ａ）に示すように上記５つの端子２がそれぞれ挿入される端子挿入用孔部９が併設された端子保持部本体１０と、この端子保持部本体１０の両脇をそれぞれ延長するかたちで設けられた第１のホルダアーム部１１、及び第２のアーム部１２とを有している。
【００２５】
第１のホルダアーム部１１には、当該第１のホルダアーム部１１の端子保持部本体１０に対して反対側の端部１１ａの近傍となる側面部から外方向に向かって突出する円柱状の回転支持用突出部１３が設けられている。同様に、第２のホルダアーム部１２には、当該第２のホルダアーム部１２の端子保持部本体１０に対して反対側の端部１２ａの近傍となる側面部から外方向に向かって突出する円柱状の回転支持用突出部１４が設けられている。後述するが、端子保持部３は、この一対の回転支持用突出部１３、１４により、筐体１内に回動自在に設けられるようになっている。
【００２６】
また、第１のホルダアーム部１１の上記端部１１ａには、スプリング保持部１５が設けられている。このスプリング保持部１５は、図３（ｂ）及び図３（ｃ）に示すように、端子保持部３に設けられた各端子２の突出方向に対して反対方向に突出した略円柱状の突出部となっている。この略円柱状の突出部の先端部には、直径に沿った切り込みが、当該突出部の延設方向に沿って設けられている。
【００２７】
この略円柱状の突出部に設けられた切り込みには、図３（ｂ）及び図３（ｃ）に示すように、当該突出部に設けられたスプリング２２の一端部が挿入されるようになっており、これにより、該スプリング２２が、上記突出部に保持されるようになっている。後述するが、この突出部に設けられたスプリング２２は、端子２が突出する方向の付勢力を端子保持部本体１０に対して付与することで、当該クレードル装置に携帯電話機が装着された際における端子２の突出を補助するかたちで機能するようになっている。
【００２８】
また、端子保持部本体１０には、上記第２のホルダアーム部１２の端部１２ａに対して反対側の端部に相当する部分から、上記回転支持用突出部１４と同方向に突出したホルダロック当接部２３が設けられている。このホルダロック当接部２３は、当該クレードル装置に対して携帯電話機が装着されていない場合に、図１に示したホルダロック部５と当接することで、端子保持部３の端子突出方向の移動を抑止するようになっている。なお、当該クレードル装置に対して携帯電話機が装着されると、このホルダロック当接部２３とホルダロック部５との当接が解除され（＝ホルダロック部５のロックが解除され）、端子保持部３が端子突出方向に移動するようになっている。
【００２９】
次に、図４に、端子２を側面側から見た図を示す。この端子２は、例えば鉄等の導電部材で形成された１本の針金状の部材で形成されている。具体的には、この端子２は、図４に示すように、当該端子２が端子保持部本体１０に設けられた際に、該端子保持部本体１０に対して引っ掛かることで、当該端子２を端子保持部本体１０に係止するための係止部１７と、携帯電話機の端子当接部に当接する当接部１８と、端子保持部本体１０に対して上記突出方向の付勢力を付与するためのバネ部１９と、基板６に半田付けされる半田付け部２０とを形成するように、上記１本の針金状の部材を折曲加工することで形成されている。
【００３０】
係止部１７は、当該端子２の一端部１６近傍を、略「く」の字状に折曲加工することで形成されており、当接部１８は、この係止部１７近傍を、略「Ｕ」の字状に折曲加工することで形成されている。また、半田付け部２０は、当該端子２の他端部２１近傍を、略「く」の字状に折曲加工することで形成されており、バネ部１９は、この半田付け部２０近傍部分を、例えば２巻き程度、巻加工することで形成されている。そして、この端子２は、当接部１８とバネ部１９とが、略「く」の字を形成して接続されるように、該当接部１８とバネ部１９との略中間部分を折曲加工することで形成されている。
【００３１】
このような端子２は、図５に示すように端子保持部本体１０の端子挿入用孔部９に当接部１８を挿入すると、係止部１７が該端子保持部本体１０に引っ掛かるようになっている。この状態で、各端子２は端子保持部３に保持されるようになっている。
【００３２】
次に、図６（ａ）にホルダロック部５の右側面図を、図６（ｂ）にホルダロック部５の左側面図を、図６（ｃ）にホルダロック部５の上面図を、それぞれ示す。この図６（ａ）〜図６（ｃ）からわかるように、ホルダロック部５は全体が略「く」の字形状を有しており、一端部が、筐体１のホルダロック用孔部２５（図１参照）から突出する突出当接部２６となっている。
【００３３】
また、このホルダロック部５の他端部近傍には、当該ホルダロック部５の側面部からそれぞれ相反する方向に突出する、略円柱形状の一対の回転支持用突出部２７が設けられている。この略円柱形状の一対の回転支持用突出部２７は、筐体１のホルダロック支持部に挿入されるようになっており、これにより、ホルダロック部５は、筐体１のホルダロック用孔部２５から突出当接部２６を突出させた状態で、筐体１のホルダロック支持部に回転自在に支持されるようになっている。
【００３４】
また、この略円柱形状の一対の回転支持用突出部２７には、図６（ａ）に示すスプリング２９が設けられるようになっている。このスプリング２９は、１本の針金状部材を略「Ｕ」字状に折曲加工すると共に、各端部近傍の上記各回転支持用突出部２７に対応する部分を巻加工することで形成されている。そして、図６（ａ）に示すように、略「Ｕ」字状に折曲加工した部分で、ホルダロック部５を下側から支持すると共に、上記巻加工した部分の各空隙部に、ホルダロック部５の各突出当接部２７をそれぞれ挿入するかたちで、該ホルダロック部５に設けられている。
【００３５】
このスプリング２９は、前述のように筐体１のホルダロック支持部にホルダロック部５が装着された際に、該ホルダロック部５の突出当接部２６を、筐体１のホルダロック用孔部２５から突出させる方向に、該ホルダロック部５を付勢するようになっている。
【００３６】
また、このホルダロック部５の各突出部２７近傍には、上記突出当接部２６の突出方向に対して略反対方向に突出するかたちでロック当接部２８が設けられている。このロック当接部２８は、当該クレードル装置に対する携帯電話機の非装着時に、ホルダ端子１０のホルダロック当接部２３に当接することで、ホルダ端子１０の突出方向の移動を抑止するようになっている。そして、このロック当接部２８は、当該クレードル装置に対して携帯電話機が装着された際に、ホルダ端子１０のホルダロック当接部２３に対する当接を解除することで、ホルダ端子１０を突出方向に移動可能とするようになっている。詳しくは後述する。
【００３７】
次に、図７（ａ）にボタンレバー４の右側面図を、図７（ｂ）にボタンレバー４の上面図を、図７（ｃ）にボタンレバー４の左側面図をそれぞれ示す。この図７（ａ）〜図７（ｃ）からわかるように、このボタンレバー４は、全体が、略平板の棒形状を有している。そして、このボタンレバー４の一端部には、当該ボタンレバー４の短手方向に沿って突出する、上記筐体１のボタンレバー用孔部２４から突出させるための突出当接部３０が設けられている。また。このボタンレバー４の他端部は、端子２の突出方向に付勢されたホルダ端子１０を支持するように該ホルダ端子１０と当接する当接支持部３１となっている。
【００３８】
このボタンレバー４には、図７（ａ）及び図７（ｂ）に示すように当該ボタンレバー４の全長の略中間位置に、当該ボタンレバー４に対して直交する方向にそれぞれ突出した一対の略円柱形状の回転支持用突出部３２が設けられている。ボタンレバー４は、この回転支持用突出部３２を介して、回転自在に筐体１内に設けられるようになっている。
【００３９】
また、このボタンレバー４には、図７（ａ）及び図７（ｂ）に示すように上記当接支持部３１近傍に、当該ボタンレバー４に対して直交する方向にそれぞれ突出した一対の略円柱形状のスプリング保持用突出部３３が設けられている。このスプリング保持用突出部３３は、ボタンレバー４に対して、突出当接部３０を筐体１外に突出させる付勢力を付与する、図７（ｂ）に示すスプリング３４が設けられるようになっている。
【００４０】
このスプリング３４は、１本の針金状部材を略「Ｕ」字状に折曲加工すると共に、この略「Ｕ」字状に折曲加工した部分と、各端部との略中間の部分を巻加工することで形成したバネ部３５を有している。また、このスプリング３４の各端部は、上記スプリング保持用突出部３３の径よりも若干大きめの径を有するように巻加工された保持部３６となっている。
【００４１】
このようなスプリング３４は、図７（ｃ）に示すように上記巻加工された各保持部３６の空隙部に、ボタンレバー４のスプリング保持用突出部３３をそれぞれ挿入することで、ボタンレバー４に設けられるようになっている。そして、ボタンレバー４は、筐体１に設けられた際に、このスプリング３４により、突出当接部３０を筐体１外に突出させる方向に付勢されるようになっている。
【００４２】
次に、図８に、筐体１を底面側から見た図を示す。この図８は、ボタンレバー４や端子保持部３等が設けられていない状態の筐体内部を示している。この図８からわかるように、筐体１の内部には、端子突出用孔部８の近傍に、端子保持部３の各回転支持用突出部１３，１４がそれぞれ挿入される一対のホルダ回転支持部３７が設けられている。このホルダ回転支持部３７は、端子保持部３の各回転支持用突出部１３，１４よりも若干大きめの径を有する孔部となっている。
【００４３】
端子保持部３は、筐体１の端子突出用孔部８から各端子２が突出可能となるように、各回転支持用突出部１３，１４を筐体１の上記ホルダ回転支持部３７にそれぞれ挿入することで、該筐体１内に設けられるようになっている。また、このように端子保持部３を筐体１に設けると、端子保持部３のスプリング保持部１５に設けられたスプリング２２は、図８に点線の丸で示す部分に当接するようになる。
【００４４】
また、筐体１の内部には、端子突出用孔部８とボタンレバー用孔部との間の略中間の位置に、ボタンレバー回転支持部３８が設けられている。このボタンレバー回転支持部３８には、ボタンレバー４の回転支持用突出部３２を挿入可能な横溝が設けられている。ボタンレバー４は、突出当接部３０を筐体１のボタンレバー用孔部２４から突出させる状態とすると共に、このボタンレバー回転支持部３８の横溝に回転支持用突出部３２をスライド挿入することで、筐体１内に設けられている。また、このようにボタンレバー４を筐体１に設けると、ボタンレバー４のスプリング保持用突出部３３に設けられたスプリング３４は、図８に点線の四角で示す部分に当接するようになる。そして、このスプリング３４の付勢力により、ボタンレバー４が、突出当接部３０を筐体１のボタンレバー用孔部２４から突出させる方向に付勢されるようになっている。
【００４５】
また、筐体１の内部には、端子突出用孔部８の近傍に、ホルダロック部５の各回転支持用突出部２７がそれぞれ挿入される一対のホルダロック回転支持部が設けられている（図示せず）。このホルダロック回転支持部は、ホルダロック部５の各回転支持用突出部２７よりも若干大きめの径を有する孔部となっている。
【００４６】
ホルダロック部５は、筐体１のホルダロック用孔部２５から突出当接部２６を突出させた状態で、各回転支持用突出部２７を筐体１の上記ホルダロック回転支持部にそれぞれ挿入することで、該筐体１内に設けられるようになっている。また、このようにホルダロック部５を筐体１に設けると、ホルダロック部５の各回転支持用突出部２７に設けられたスプリング２９は、図８に点線の四角で示す部分に当接するようになる。すなわち、スプリング２９は、図１に示すように筐体１の前面側の壁部の内側（前面内壁部）に当接するようになる。そして、このスプリング２９の付勢力により、ホルダロック部５が、突出当接部２６を筐体１のホルダロック用孔部２５から突出させる方向に付勢されるようになっている。
【００４７】
先に説明したが、図１は、このように端子保持部３、ボタンレバー４、及びホルダロック部５等を筐体１内に収納した状態を示している。端子保持部３に設けられた各端子２の半田付け部２０は基板６に半田付けされており、基板６は、このように各端子２が半田付けされた状態で、筐体１内に収納されるようになっている。そして、基板６と共に端子保持部３を筐体１内に収納すると、基板６により、各端子２のバネ部１９を介して端子保持部３が、該各端子２の突出方向に押圧された状態で該筐体１内に収納されるようになる。
【００４８】
すなわち、端子保持部３に設けられた各端子２は、図５に示したように各係止部１７が端子保持部３に引っ掛かった状態で該端子保持部３に設けられる。このため、上記基板６と共に端子保持部３を筐体１内に収納すると、基板６により各端子２が押圧され、該各端子２のバネ部１９が圧縮され、端子保持部３が、該各端子２の突出方向に付勢されることとなる。
【００４９】
ボタンレバー４は、筐体１に携帯電話機が装着されていない状態において、図１に示すように当接支持部３１で、前述のように突出しようとする端子保持部３を、該端子保持部３の上から押さえ込むかたちで、該端子保持部３の上記突出方向への移動を抑止している。
【００５０】
同時に、ホルダロック部５は、筐体１に携帯電話機が装着されていない状態において、ロック当接部２８が端子保持部３のホルダロック当接部２３に当接することで、該ロック当接部２８で端子保持部３を上から押さえ込み、端子保持部３が上記突出方向へ移動することを、上記ボタンレバー４と共に抑止している。
【００５１】
〔第１の実施の形態の動作〕
このような構成を有する当該第１の実施の形態のクレードル装置は、ボタンレバー４の突出当接部３０、及びホルダロック部５の突出当接部２６を略同時に押圧操作するように、当該クレードル装置に対して携帯電話機が装着された際に、はじめて端子保持部３に設けられた各端子２が筐体１外に突出するようになっている。
【００５２】
（いずれか一方の突出当接部が押圧操作された場合の動作）
まず、図１を用いて上述したように、当該クレードル装置に対して携帯電話機が装着されていない場合、図９（ａ）に示すように、端子保持部３は、ボタンレバー４の当接支持部３１、及びホルダロック部５のロック当接部２８により、押さえ込まれるかたちで上記突出方向への移動が抑止されている。
【００５３】
なお、図９（ａ）は、筐体１に設けられた端子保持部３を、該筐体１の底面部側から見た図となっている。このため、端子保持部３に設けられている各端子２の突出方向は、図９（ａ）の紙面から地面に向かう方向であるものと理解されたい。
【００５４】
この状態において、ボタンレバー４の突出当接部３０、及びホルダロック部５の突出当接部２６のうち、ボタンレバー４の突出当接部３０が、携帯電話機が筐体１の装着部７に正確に装着されないことにより、或いはユーザの指や落下物等により押圧操作されたとすると、ボタンレバー４の当接支持部３１は、図９（ａ）に示す押圧時移動方向に移動する。これにより、ボタンレバー４の当接支持部３１と端子保持部３との当接が解除され、該端子保持部３は、各端子２の突出方向に移動可能な状態となる。
【００５５】
しかし、この場合、ホルダロック部５の突出当接部２６が押圧操作されていないため、ホルダロック部５のロック当接部２８と端子保持部３のホルダロック当接部２３とが当接したままの状態となる（＝ロック状態）。このため、ホルダ端子３の上記突出方向への移動は、このホルダロック部５のロック当接部２８と端子保持部３のホルダロック当接部２３との当接で抑止されることとなり、端子保持部３の各端子２は、筐体１内に収納されたままの状態となる（＝各端子２が筐体１から突出することはない。）。
【００５６】
同様に、ボタンレバー４の突出当接部３０、及びホルダロック部５の突出当接部２６のうち、ホルダロック部５の突出当接部２６が、携帯電話機が筐体１の装着部７に正確に装着されないことにより、或いはユーザの指や落下物等により押圧操作されたとすると、ホルダロック部５のロック当接部２８は、図９（ａ）に示すロック解除方向に回動する。これにより、ホルダロック部５のロック当接部２８と、端子保持部３のホルダロック当接部２３との当接が解除され（＝ロックが解除され）、該端子保持部３は、各端子２の突出方向に移動可能な状態となる。
【００５７】
しかし、この場合、ボタンレバー４の突出当接部３０が押圧操作されていないため、このボタンレバー４の突出当接部３０と端子保持部３とが当接したままの状態となる。このため、ホルダ端子３の上記突出方向への移動は、このボタンレバー４の突出当接部３０と端子保持部３との当接で抑止されることとなり、端子保持部３の各端子２は、筐体１内に収納されたままの状態となる（＝各端子２が筐体１から突出することはない。）。
【００５８】
このように、当該実施の形態のクレードル装置は、ボタンレバー４の突出当接部３０、及びホルダロック部５の突出当接部２６のうち、いずれか一方の突出当接部が押圧操作された場合は、押圧操作されなかった方の突出当接部に連動するホルダロック部５のロック当接部２８、或いはボタンレバー４の当接支持部３１で、端子保持部３の突出方向への移動を抑止するようになっている。
【００５９】
このため、携帯電話機が筐体１の装着部７に正確に装着されないことにより、或いはユーザの指や落下物等により、いずれか一方の突出当接部のみが押圧操作された場合に、端子保持部３の各端子２が筐体１外に突出する不都合を防止することができる。
【００６０】
（両方の突出当接部が押圧操作された場合の動作）
次に、図１０（ａ）に示すように、当該クレードル装置に対して携帯電話機が装着されると、ボタンレバー４の突出当接部３０、及びホルダロック部５の突出当接部２６が、略同時に押圧操作されることとなる。
【００６１】
各突出当接部２６，３０が、略同時に押圧操作されると、ボタンレバー４の当接支持部３１は、図９（ｂ）に示す押圧時移動方向に移動する。これにより、ボタンレバー４の当接支持部３１と端子保持部３との当接が解除され、該端子保持部３は、各端子２の突出方向に移動可能な状態となる。
【００６２】
なお、この図９（ｂ）も、筐体１に設けられた端子保持部３を、該筐体１の底面部側から見た図となっている。このため、端子保持部３に設けられている各端子２の突出方向は、図９（ｂ）の紙面から地面に向かう方向であるものと理解されたい。
【００６３】
また、各突出当接部２６，３０が、略同時に押圧操作されると、ホルダロック部５のロック当接部２８は、図９（ｂ）に示すロック解除方向に回動する。これにより、ホルダロック部５のロック当接部２８と、端子保持部３のホルダロック当接部２３との当接が解除され（＝ロックが解除され）、該端子保持部３は、各端子２の突出方向に移動可能な状態となる。
【００６４】
このように、ボタンレバー４の当接支持部３１と端子保持部３との当接が解除され、また、ホルダロック部５のロック当接部２８と端子保持部３のホルダロック当接部２３との当接が解除されると、各端子のバネ部１９により端子保持部３に付与されていた付勢力が働くこととなり、端子保持部３が、図９（ｂ）に示す各回転支持用突出部１３，１４で形成される回転軸に沿って回動し、図１０（ｂ）に示すように、端子保持部３に設けられている各端子２が、図２及び図８に示した端子突出用孔部８を介して、当該クレードル装置の筐体１外に突出する。
【００６５】
ここで、端子保持部３の第１のホルダアーム部１１の端部の突出部１５に設けられたスプリング２２は、ボタンレバー４の当接支持部３１と端子保持部３との当接が解除され、また、ホルダロック部５のロック当接部２８と端子保持部３のホルダロック当接部２３との当接が解除されると、端子２の突出時における回動方向に対して反対方向の付勢力を、第１のホルダアーム部１１を介して端子保持部３に付与する。
【００６６】
上述のように、ボタンレバー４の当接支持部３１と端子保持部３との当接が解除され、また、ホルダロック部５のロック当接部２８と端子保持部３のホルダロック当接部２３との当接が解除されると、端子保持部３は、各回転支持用突出部１３，１４で形成される回転軸に沿って回動する。このため、突出部１５に設けられたスプリング２２の付勢力は、端子保持部３の上記突出方向への回動を補助するように機能することとなる（スプリング２２は、端子２が突出する方向の付勢力を端子保持部３に付与することで、携帯電話機の装着時における上記端子２の突出を補助する。）これにより、携帯電話機の装着時における各端子２の突出を、よりスムーズに行うことを可能とすることができる。
【００６７】
そして、当該クレードル装置の筐体１外に突出した各端子２は、携帯電話機の各端子当接部にそれぞれ当接する。これにより、当該クレードル装置を介して、携帯電話機に対する充電や、携帯電話機とパーソナルコンピュータ装置との間の通信等が行われることとなる。
【００６８】
［第１の実施の形態の効果］
以上の説明から明らかなように、この第１の実施の形態のクレードル装置は、ボタンレバー４の突出当接部３０、及びホルダロック部５の突出当接部２６が、略同時に押圧操作された場合のみ、端子保持部３に設けられた各端子２を筐体１外に突出させることができる。このため、当該クレードル装置に対して携帯電話機が不正確に装着された場合や、ユーザの指や落下物等により、いずれか一方の突出当接部（２６又は３０）のみが押圧操作された場合には、筐体１外に各端子２が突出する不都合を防止することができ、当該クレードル装置の安全性の向上を図ることができる。
【００６９】
また、端子保持部３，ボタンレバー４、及びホルダロック部５という、機械的なボタン機構を用いており、電気的なスイッチを必要としないため、構成簡単、かつ、安価に実現することができる。
【００７０】
［第２の実施の形態］
次に、本発明の第２の実施の形態のクレードル装置の説明をする。上述の第１の実施の形態のクレードル装置は、図１０（ａ）に示したように、携帯電話機の横側面部から、該携帯電話機を立てるかたちで装着するタイプのものであったが、この第２の実施の形態のクレードル装置は、携帯電話機の背面部から、該携帯電話機を寝かせるかたちで装着するタイプのものである。
【００７１】
〔第２の実施の形態の構成〕
図１１に、この第２の実施の形態における、携帯電話機が装着された状態のクレードル装置の斜視図を示す。なお、この図１１の場合も、クレードル装置の筐体の内部を透視したかたちで図示してある。
【００７２】
この図１１に示すように、この第２の実施の形態となるクレードル装置は、一例ではあるが充電用の陽極端子５１及び陰極端子５２を有している。各端子５１、５２は、携帯電話機の端子当接部にそれぞれ当接する当接部と、この当接部を携帯電話機の端子当接部の方向に付勢するためのバネ部とを有している。各端子５１、５２の当接部とバネ部は、図４を用いて説明した端子２と同様に１本の導電部材で形成されている。そして、この各端子５１、５２の一端部は、それぞれ図示しない基板に半田付けされることで、該基板に対して電気的及び物理的に接続されている。
【００７３】
また、各端子５１、５２は、それぞれ端子保持部５３、５４により保持されている。この端子保持部５３、５４は、各端子５１、５２を保持することで、該各端子５１、５２を図１１に示す当該クレードル装置の厚み方向の回転軸に沿って突出方向及び収納方向に回動させるようになっている。
【００７４】
また、各端子保持部５３、５４は、それぞれ当該クレードル装置の長手方向に沿って移動可能に設けられたスライドバー５５に連結されている。このスライドバー５５が、図１１に示す収納方向に移動すると、各端子保持部５３、５４が、このスライドバー５５の移動により、それぞれ上記収納方向に回転駆動され、該各端子保持部５３、５４に保持されている各端子５１、５２がそれぞれ当該クレードル装置内に収納されるようになっている。また、このスライドバー５５が、図１１に示す突出方向に移動すると、各端子保持部５３、５４が、このスライドバー５５の移動により、それぞれ上記突出方向に回転駆動され、該各端子保持部５３、５４に保持されている各端子５１、５２がそれぞれ当該クレードル装置の端子突出用孔部から突出して、当該クレードル装置に装着された携帯電話機の端子当接部に当接するようになっている。
【００７５】
さらに具体的には、各端子５１、５２は、当該端子５１，５２の上記バネ部の付勢力により、該端子５１、５２の上記当接部を突出させる方向に上記各端子保持部５３、５４を付勢している。また、スライドバー５５には、当該スライドバー５５を、図１１に示す突出方向に付勢することで、上記各端子５１、５２の突出を補助するスプリング５６が設けられている。このように、各端子保持部５３、５４は、各端子５１，５２の上記バネ部の付勢力、及びスライドバー５５に設けられたスプリング５６の付勢力により、各端子５１、５２を、常時、突出させる方向に付勢されている。
【００７６】
ここで、図１２に、携帯電話機が装着されていない状態の当該クレードル装置の斜視図を示す。なお、この図１２の場合も、クレードル装置の筐体５０の内部を透視したかたちで図示してある。この図１２からわかるように、スライドバー５５の一端部５５ａ近傍には、略凹状の嵌込溝部５７が設けられている。この嵌込溝部５７には、第１のボタン機構５８の凸状態の嵌込爪部５９が嵌込するようになっている。
【００７７】
すなわち、第１のボタン機構５８は、筐体５０の第１のボタン機構用孔部から突出する突出部６０と、上記嵌込爪部５９とを一体成形して形成されている。第１のボタン機構５８は、筐体５０に設けられた際に、バネ部材６１により、突出部６０を筐体５０から突出させると共に、嵌込爪部５９をスライドバー５５の嵌込溝部５７に嵌込させる方向に付勢されている。そして、この第１のボタン機構５８は、図１２に示す筐体５０の短手方向に回転軸を有しており、突出部６０が筐体５０から突出する方向に回転すると、スライドバー５５の嵌込溝部５７に嵌込爪部５９を嵌込させて、該スライドバー５５の突出方向の移動を抑止し（＝ロックし、）、当該クレードル装置に装着された携帯電話機により、突出部６０が筐体５０内に押し込まれる方向に回転すると、スライドバー５５の嵌込溝部５７と嵌込爪部５９との嵌込を解除して（＝ロック解除して）、該スライドバー５５の突出方向への移動を可能とするようになっている。
【００７８】
一方、スライドバー５５の他端部５５ｂ側は、壁状の当接壁部６２となっている。後述するが、この当接壁部６２は、第１のボタン機構５８のみが上記ロック解除された際に、第２のボタン機構６３の当接突出部６４に当接するようになっている。
【００７９】
すなわち、図１２に示すように第１のボタン機構５８が当該クレードル装置の長手方向の右端部近傍に設けられているのに対し、第２のボタン機構６３は、当該クレードル装置の長手方向の左端部近傍に設けられている。この第２のボタン機構６３は、当該クレードル装置の短手方向に沿った略円柱形状のボタン機構本体６５の一端部近傍に、当該クレードル装置の筐体５０から突出させるための突出部６６を設けると共に、ボタン機構本体６５の他端部近傍に、上記スライドバー５５の当接壁部６２に当接させるための当接突出部６４を設けて形成されている。なお、一例ではあるが、当接突出部６４、ボタン機構本体６５、及び突出部６６は、硬化プラスチック部材や金属部材等により一体成形されている。
【００８０】
また、第１のボタン機構５８の突出部６０は、例えば当該クレードル装置の右下の角部近傍から突出するように設けられるのに対し、第２のボタン機構６３の突出部６６は、当該クレードル装置の左上の角部近傍から突出するように設けられる等のように、該各突出部６０、６６は、当該クレードル装置の対角線上に位置する角部近傍にそれぞれ設けられている。
【００８１】
また、第２のボタン機構６３のボタン機構本体６５は、当該第２のボタン機構６３の回転軸となっている。この第２のボタン機構６３は、突出部６６が当該クレードル装置の第２のボタン機構用孔部から、常時、突出させるように、バネ部材６７、６８により付勢されている。また、突出部６６を上記突出させるように付勢することで、当接突出部６４は、図１２に示すようにスライドバー５５の当接壁部６２に常時、当接する状態となっている。そして、後述するが、この第２のボタン機構６３は、当該クレードル装置に対する携帯電話機の非装着時には、スライドバー５５の当接壁部６２に当接突出部６４が当接することで、該スライドバー５５が、各端子５１、５２を突出させる方向に移動することを抑止し、当該クレードル装置に対する携帯電話機の装着時には、突出部６６が押し込まれることで、図１２に示す当接解除方向に回転し、スライドバー５５の当接壁部６２と当接突出部６４との当接を解除し、スライドバー５５が、各端子５１、５２を突出させる方向に移動可能な状態とするようになっている。
【００８２】
〔第２の実施の形態の動作〕
このような構成を有する当該第２の実施の形態のクレードル装置は、第１のボタン機構５８の突出部６０、及び第２のボタン機構６３の突出部６６を略同時に押圧操作するように、当該クレードル装置に対して携帯電話機が装着された際に、はじめて各端子保持部５３、５４に設けられた各端子５１、５２が筐体５０外に突出するようになっている。
【００８３】
（いずれか一方の突出当接部が押圧操作された場合の動作）
まず、当該クレードル装置に対して携帯電話機が装着されていない場合、図１２に示すように、第１のボタン機構５８の突出部６０、及び第２のボタン機構６３の突出部６６は、共に押圧操作されていない状態であるため、スライドバー５５の嵌込溝部５７に対して第１のボタン機構５８の嵌込爪部５９が嵌込したままの状態となり、また、スライドバー５５の当接壁部６２に対して、第２のボタン機構６３の当接突出部６４が当接したままの状態となる。
【００８４】
スライドバー５５が図１２に示す収納方向に移動すると、各端子５１、５２の各端子保持部５３、５４は、該図１２に示す収納方向に回動し、各端子５１、５２を当該クレードル装置内に収納し、スライドバー５５が図１２に示す突出方向に移動すると、各端子５１、５２の各端子保持部５３、５４は、該図１２に示す突出方向に回動し、各端子５１、５２を当該クレードル装置から突出させる。しかし、この場合、スライドバー５５が収納方向に移動したまま、上記嵌込溝部５７、嵌込爪部５９、当接壁部６２、及び当接突出部６４により、その移動がロックされた状態となっているため、各端子保持部５３、５４が上記突出方向に回動することはなく、各端子５１、５２は当該クレードル装置内に収納されたままの状態となる。
【００８５】
この携帯電話機の非装着時の状態において、例えば携帯電話機が筐体５０の装着部に正確に装着されないことにより、或いはユーザの指や落下物等により、第２のボタン機構６３の突出部６６のみが押圧操作されたとすると、第２のボタン機構６３は、図１３に示す当接解除方向に回動する。第２のボタン機構６３が当接解除方向に回動すると、当該第２のボタン機構６３の当接突出部６４と、スライドバー５５の当接壁部６２との当接が解除される。
【００８６】
しかし、この場合、第１のボタン機構５８の突出部６０は押圧操作されていないため、該第１のボタン機構５８は回動せず、スライドバー５５の嵌込溝部５７と当該第１のボタン機構５８の嵌込爪部５９とは嵌込したままの状態を維持する。このため、スライドバー５５の突出方向への移動が抑止されることとなり、同時に各端子保持部５３、５４の突出方向への回動も抑止され、各端子５１、５２は、当該クレードル装置の筐体５０内に収納されたままの状態となる（＝各端子５１、５２が筐体５０から突出することはない。）。
【００８７】
次に、携帯電話機の非装着時の状態において、例えば携帯電話機が筐体５０の装着部に正確に装着されないことにより、或いはユーザの指や落下物等により、第１のボタン機構５８の突出部６０のみが押圧操作されたとすると、第１のボタン機構５８は、図１３に示すロック解除方向に回動する。第１のボタン機構５８がロック解除方向に回動すると、スライドバー５５の嵌込溝部５７と当該第１のボタン機構５８の嵌込爪部５９との嵌込状態が解除される。
【００８８】
しかし、この場合、第２のボタン機構６３の突出部６６は押圧操作されていないため、該第２のボタン機構６３は回動せず、当該第２のボタン機構６３の当接突出部６４と、スライドバー５５の当接壁部６２とは、当接したままの状態を維持する。このため、スライドバー５５の突出方向への移動が抑止されることとなり、同時に各端子保持部５３、５４の突出方向への回動も抑止され、各端子５１、５２は、当該クレードル装置の筐体５０内に収納されたままの状態となる（＝各端子５１、５２が筐体５０から突出することはない。）。
【００８９】
このように、当該第２の実施の形態のクレードル装置においても、携帯電話機が筐体５０の装着部に正確に装着されないことにより、或いはユーザの指や落下物等により、いずれか一方の突出部６０、６６のみが押圧操作された場合に、各端子保持部５３、５４の各端子５１、５２が当該クレードル装置の筐体５０外に突出する不都合を防止することができる。
【００９０】
（両方の突出当接部が押圧操作された場合の動作）
次に、図１１に示すように、当該クレードル装置に対して携帯電話機が装着されると、第１のボタン機構５８の突出部６０、及び第２のボタン機構６３の突出部６６が、略同時に押圧操作されることとなる。
【００９１】
各突出部６０、６６が、略同時に押圧操作されると、図１４に示すように第１のボタン機構５８が、図１４に示すロック解除方向に回動することで、スライドバー５５の嵌込溝部５７と当該第１のボタン機構５８の嵌込爪部５９との嵌込状態が解除される。また、これと略同時に、第２のボタン機構６３が、図１４に示す当接解除方向に回動することで、当該第２のボタン機構６３の当接突出部６４が、スライドバー５５の当接壁部６２との当接を解除する方向に退避する。
【００９２】
上述のように、スライドバー５５は、スプリング５６により上記突出方向に付勢されている。このため、スライドバー５５の嵌込溝部５７と当該第１のボタン機構５８の嵌込爪部５９との嵌込状態が解除され、第２のボタン機構６３の当接突出部６４が、スライドバー５５の当接壁部６２との当接を解除する方向に退避すると、スライドバー５５は、図１４に示す突出方向に移動する。
【００９３】
上述のように、このスライドバー５５と各端子保持部５３、５４とは連動するようになっている。このため、スライドバー５５が上記突出方向に移動することで、各端子保持部５３、５４が図１４に示す突出方向に回動し、該各端子保持部５３、５４により保持されている各端子５１、５２が、それぞれ当該クレードル装置の筐体５０から突出する。
【００９４】
このクレードル装置の筐体５０から突出した各端子５１、５２は、図１１に示すように当該クレードル装置に装着されている携帯電話機の各端子当接部にそれぞれ当接する。これにより、携帯電話機のバッテリに対する充電等が行われることとなる。
【００９５】
なお、このクレードル装置に装着された携帯電話機が取り外された場合、バネ部材６７、６８の付勢力により、第２のボタン機構６３が図１４に示す当接方向に回動される。第２のボタン機構６３が当接方向に回動すると、該第２のボタン機構６３の突出部６６が筐体外に突出すると共に、この第２のボタン機構６３の当接突出部６４で、スライドバー５５の当接壁部６２が押し込まれ、該スライドバー５５が収納方向に移動する。そして、スライドバー５５が収納方向に移動することで、各端子保持部５３、５４が上記収納方向に回動して各端子５１、５２が筐体５０内に収納され、また、スライドバー５５の嵌込溝部５７と、第１のボタン機構５８の嵌込爪部５９とが再嵌込し、該スライドバー５５の移動がロックされ、当該クレードル装置は、図１２に示す携帯電話機の非装着状態に戻る。
【００９６】
このように、当該クレードル装置に対する携帯電話機の非装着時には、スライドバー５５を上記収納方向に移動させる必要があるため、第２のボタン機構６３を上記当接方向に付勢しているバネ部材６７、６８の総合的な付勢力の大きさは、スライドバー５５を上記突出方向に付勢しているスプリング５６の付勢力よりも大きな付勢力とすることが好ましいであろう。
【００９７】
［第２の実施の形態の効果］
以上の説明から明らかなように、この第２の実施の形態のクレードル装置は、第１のボタン機構５８の突出部６０、及び第２のボタン機構６３の突出部６６が、略同時に押圧操作された場合のみ、各端子保持部５３、５４に設けられた各端子５１、５２を筐体５０外に突出させることができる。このため、当該クレードル装置に対して携帯電話機が不正確に装着された場合や、ユーザの指や落下物等により、いずれか一方の突出部（６０又は６６）のみが押圧操作された場合には、筐体５０外に各端子５１、５２が突出する不都合を防止することができ、当該クレードル装置の安全性の向上を図ることができる。
【００９８】
また、各ボタン機構５８、６３、各端子保持部５３、５４、スライドバー５５という、機械的な構成で実現することができ、電気的なスイッチを必要としないため、構成簡単、かつ、安価に実現することができる。
【００９９】
［変形例］
上述の各実施の形態の説明では、本発明を携帯電話機のクレードル装置に適用することとしたが、本発明は、この携帯電話機のクレードル装置に限らず、ＰＨＳ電話機（PHS：Personal Handyphone System）、ＰＤＡ装置（PDA：Personal Digital Assistant）、デジタルカメラ装置、動画像撮像装置、携帯型のゲーム機等のクレードル装置や、ノート型のパーソナルコンピュータ装置の充電器等に適用することができる。
【０１００】
最後に、上述の各実施の形態は、本発明の一例である。このため、本発明は上述の各実施の形態に限定されることはなく、本発明に係る技術的思想を逸脱しない範囲であれば、設計等に応じて種々の変更が可能であることは勿論であることを付け加えておく。
【図面の簡単な説明】
【０１０１】
【図１】本発明を適用した第１の実施の形態となるクレードル装置を透視した状態の斜視図である。
【図２】第１の実施の形態のクレードル装置の筐体を上面側から見た状態の図である。
【図３】第１の実施の形態のクレードル装置に設けられている端子保持部を説明するための図である。
【図４】端子保持部に設けられる端子を説明するための図である。
【図５】端子保持部に対する端子の装着状態を説明するための図である。
【図６】第１の実施の形態のクレードル装置に設けられているホルダロック部を説明するための図である。
【図７】第１の実施の形態のクレードル装置に設けられているボタンレバーを説明するための図である。
【図８】第１の実施の形態のクレードル装置の筐体を底面側から見た状態の図である。
【図９】第１の実施の形態のクレードル装置に対して携帯電話機を装着していない場合における端子保持部、ボタンレバー、ホルダロック部の位置関係、及び該クレードル装置に対して携帯電話機を装着した場合における端子保持部、ボタンレバー、ホルダロック部の位置関係をそれぞれ示す図である。
【図１０】第１の実施の形態のクレードル装置に対して携帯電話機を装着した場合における筐体内の各部を透視した状態の斜視図である。
【図１１】本発明を適用した第２の実施の形態となるクレードル装置に対して携帯電話機を装着した場合における筐体内の各部を透視した状態の斜視図である。
【図１２】第２の実施の形態となるクレードル装置に対して携帯電話機を装着していない状態における筐体内の各部を透視した斜視図である。
【図１３】第２の実施の形態となるクレードル装置の第２のボタン機構のみが押圧操作された状態における筐体内の各部を透視した斜視図である。
【図１４】第２の実施の形態となるクレードル装置の第１のボタン機構及び第２のボタン機構が押圧操作された状態における筐体内の各部を透視した斜視図である。
【符号の説明】
【０１０２】
１  第１の実施の形態のクレードル装置の筐体、２  端子、３  端子保持部、４  ボタンレバー、５  ホルダロック部、６  嵌込爪部、７  携帯電話機を装着するための装着部、８  筐体の端子突出用孔部、９  端子保持部の端子挿入用孔部、１０  端子保持部本体、１１  第１のホルダアーム部、１１ａ  第１のホルダアーム部の反端子保持部本体側の端部、１２  第２のホルダアーム部、１２ａ  第２のホルダアーム部の反端子保持部本体側の端部、１３  第１のホルダアーム部の回転支持用突出部、１４  第２のホルダアーム部の回転支持用突出部、１５  スプリング保持部、１６  端子の一端部、１７  端子の係止部、１８  端子の当接部、１９  端子のバネ部、２０  端子の半田付け部、２１  端子の他端部、２２  スプリング、２３  ホルダロック当接部、２４  筐体のボタンレバー用孔部、２５  筐体のホルダロック用孔部、２６  ホルダロック部の突出当接部、２７  ホルダロック部の回転支持用突出部、２８  ロック当接部、２９  ホルダロック部に設けられるスプリング、３０  ボタンレバーの突出当接部、３１  ボタンレバーの当接支持部、３２  ボタンレバーの回転支持用突出部、３３  ボタンレバーのスプリング保持用突出部、３４  ボタンレバーに設けられるスプリング、３５  スプリングのバネ部、３６  スプリングの保持部、３７  筐体のホルダ回転支持部、３８  ボタンレバー回転支持部、４０  筐体の嵌込爪部、５０  第２の実施の形態のクレードル装置の筐体、５１  第２の実施の形態のクレードル装置に設けられている端子、５２  第２の実施の形態のクレードル装置に設けられている端子、５３  第２の実施の形態のクレードル装置に設けられている端子保持部、５４  第２の実施の形態のクレードル装置に設けられている端子保持部、５５  スライドバー、５５ａ  スライドバーの一端部、５６  端子突出方向の付勢力を補助するためのスプリング、５７  スライドバーに設けられている嵌込溝部、５８  第１のボタン機構、５９  第１のボタン機構の嵌込爪部、６０  第１のボタン機構の突出部、６１  バネ部材、６２  スライドバーの当接壁部、６３  第２のボタン機構、６４  第２のボタン機構の当接突出部、６５  第２のボタン機構のボタン機構本体、６６  第２のボタン機構の突出部、６７  バネ部材、６８  バネ部材
【図１】
2010147605.tif 000003
【図２】
2010147605.tif 000004
【図３】
2010147605.tif 000005
【図４】
2010147605.tif 000006
【図５】
2010147605.tif 000007
【図６】
2010147605.tif 000008
【図７】
2010147605.tif 000009
【図８】
2010147605.tif 000010
【図９】
2010147605.tif 000011
【図１０】
2010147605.tif 000012
【図１１】
2010147605.tif 000013
【図１２】
2010147605.tif 000014
【図１３】
2010147605.tif 000015
【図１４】
2010147605.tif 000016